(57)【特許請求の範囲】
【請求項１】
ネックレスやブレスレット等の装身具の一端部につながれる連結部材と、装身具の他端部につながれ、連結部材に連結される被連結部材とからなる装身具用ジョイントにおいて、連結部材は、本体と、本体の一端部に断面略内向きＣ字状に一体連設された掛合部片と、先端部が前記Ｃ字状掛合部片への係脱部を開閉するように本体に回動可能に枢着された回動開閉体と、回動開閉体の先端側を本体から離れる方向に付勢するばねと、回動開閉体の先端部を係脱部閉鎖位置に保持して当該位置よりも本体から離れる方向に回動しないように制限する回動制限手段とからなり、被連結部材は、連結部材の前記Ｃ字状掛合部片に掛合される被掛合部片を有し、前記回動制限手段は、回動開閉体の枢着部側端部に設けられていて、回動開閉体の先端部が係脱部閉鎖位置にあるとき前記本体の平面部に当接して回動開閉体が本体から離れる方向へ回動するのを阻止するストッパー面部からなり、更に前記連結部材の本体のＣ字状掛合部片に掛合される被連結部材の移動を制限するための制限用空間部を、前記Ｃ字状掛合部片の内周部と、回動開閉体の先端から本体側に向かって突出する突出壁部と、断面コ字状に形成された本体の先端傾斜面部とによって形成してなることを特徴とする装身具用ジョイント。
【請求項２】
前記連結部材の本体及び回動開閉体は、それぞれ断面略コ字状に形成されて互いに内向きに嵌合配置されていることを特徴とする請求項１に記載の装身具用ジョイント。
【請求項３】
前記回動開閉体の先端側外面に凹曲面部を形成すると共に、この凹状部の後端に開閉体開放操作用突起部を設けてなることを特徴とする請求項１又は２に記載の装身具用ジョイント。
【請求項４】
前記回動開閉体の外面をその後端部から先端部にかけて緩やかな凸面状に形成してなることを特徴とする請求項１又は２に記載の装身具用ジョイント。
【発明の詳細な説明】
【０００１】
【発明の属する技術分野】
本発明は、ネックレスやブレスレットあるいは腕時計等の装身具を使用者の首や手首等に装着するためのジョイントに関するものである。
【０００２】
【従来の技術】
図９は従来使用されているネックレス用のジョイントＪを示している。このジョイントＪは、ネックレスＮの一端部につながれる連結部材１と、このネックレスＮの他端部につながれ、連結部材１に連結される被連結部材２とからなり、連結部材１は、貴金属材からなる１本の棒材を折曲して略Ｃ字状部分３とＩ字状部分４とを形成すると共に、Ｉ字状部分４の先端部とＣ字状部分３の先端部にとの間に係脱部５を形成し、この係脱部５を常時閉じた位置に保持している。被連結部材２も、同様な貴金属材で形成したもので、連結部材１に掛合される被掛合部６を有する。しかして、被連結部材２の被掛合部６を連結部材１に掛合させるときは、連結部材１のＩ字状部分４を図１３の紙面で下方に押圧変形して係脱部５を開放し、この開放して係脱部５から被連結部材２の被掛合部６を通し入れた後、Ｉ字状部分４がその弾性復元力で係脱部５を閉じる。被連結部材２を連結部材１から外すときは、上記同様に連結部材１のＩ字状部分４を押圧変形させて係脱部５を開放する。
【０００３】
【発明が解決しようとする課題】
従来のジョイントＪでは、上記のように連結部材１全体を一体形成してその一部であるＩ字状部分４を弾性変形させることにより、係脱部５を開放するようにしているが、純度の高い貴金属で形成される連結部材１では、材質が軟らかいため十分な弾性力が得られず、そのためＩ字状部分４を押圧して係脱部５を開放した後、このＩ字状部分４が確実に弾性復帰し得ず、半開きの状態となるなど係脱部５の開閉を的確に行うことができなくなる。しかして、十分な弾性力を確保するには、連結部材１を純度の低い貴金属あるいは合金等の硬質の金属材料で形成せざるを得ず、それがために高級な装身具用ジョイントを製造できないと云う問題がある。
【０００４】
また従来のジョイントＪにあっては、上記ネックレスＮを、被連結部材２を連結部材１に連結した状態で収納、保管しておくような場合、被掛合部６が、リング状の連結部材１に沿って、例えば図９に示される右端の通常位置から左端まで移動し、それがためにネックレスＮの右側端部と左側端部が重なり合うなどしてネックレスＮがもつれてしまい、それを解くのに困難を来すと云った問題があった。
【０００５】
本発明は、上記に鑑み、係脱部の開閉に必要な弾性力、即ちばね力を十分に確保できて、その開閉を的確に行わせることができながら、柔らかい貴金属、即ち純金等のような純度の高い貴金属の使用が可能で、高価で高級な装身具用ジョイントを製造できるようにすることを主たる目的とするものである。他の目的は、被連結部材を連結部材に連結したままで収納、保管しておくような場合に、被連結部材が連結部材に対し不都合に移動することがなく、従って装身具がもつれるようなことがないようにした装身具用ジョイントを提供することである。本発明の更に他の目的及び特徴は、以下に説明する発明の実施の形態の説明から明らかにされよう。
【０００６】
【課題を解決するための手段】
請求項１に係る発明は、ネックレスＮやブレスレット等の装身具の一端部につながれる連結部材１１と、装身具の他端部につながれ、連結部材１１に連結される被連結部材１２とからなる装身具用ジョイントにおいて、連結部材１１は、本体１３と、本体１３の一端部に断面略内向きＣ字状に一体連設された掛合部片１４と、先端部が前記Ｃ字状掛合部片１４への係脱部１５を開閉するように本体１３に回動可能に枢着された回動開閉体１６と、回動開閉体１６の先端側を本体１３から離れる方向に付勢するばね１７と、回動開閉体１６の先端部１６ａを係脱部閉鎖位置に保持して当該位置よりも本体から離れる方向に回動しないように制限する回動制限手段とからなり、被連結部材１２は、連結部材１１の前記Ｃ字状掛合部片１４に掛合される被掛合部片１９を有し、前記回動制限手段は、回動開閉体１６の枢着部側端部に設けられていて、回動開閉体１６の先端部１６ａが係脱部閉鎖位置にあるとき前記本体１３の平面部１３ａに当接して回動開閉体１６が本体１３から離れる方向へ回動するのを阻止するストッパー面部１８からなり、更に連結部材１１の本体１３のＣ字状掛合部片１４に掛合される被連結部材１２の移動を制限するための制限用空間部２３を、前記Ｃ字状掛合部片１４の内周部１４ａと、回動開閉体１６の先端から本体側に向かって突出する突出壁部２４と、断面コ字状に形成された本体１３の先端部２５とによって形成してなることを特徴とする。
【０００７】
請求項２に係る発明は、請求項１に記載の装身具用ジョイントにおいて、前記連結部材１１の本体１３及び回動開閉体１６は、それぞれ断面略コ字状に形成されて互いに内向きに嵌合配置されていることを特徴とする。
【０００８】
請求項３に係る発明は、請求項１又は２に記載の装身具用ジョイントにおいて、前記回動開閉体の先端側外面に凹曲面部２１を形成すると共に、この凹状部の後端に開閉体開放操作用突起部を設けてなることを特徴とする。
【０００９】
請求項５に係る発明は、請求項１又は２に記載の装身具用ジョイントにおいて、前記回動開閉体１６の外面２９をその後端部から先端部１６ａにかけて緩やかな凸面状に形成してなることを特徴とする。
【００１０】
【発明の実施の形態】
図１は本発明に係る装身具用ジョイントＪ１を示し、図２及び図３はその縦断面図、図７は横断面図を示す。この装身具用ジョイントＪ１は、例えばネックレスＮの一端部につながれる連結部材１１と、同ネックレスＮの他端部につながれ、連結部材１１に連結される被連結部材１２とからなる。連結部材１１は、本体１３と、この本体１３の一端部に断面略内向きＣ字状に一体連設された掛合部片１４と、前記本体１３の上に対向配置されて、先端部１６ａが前記Ｃ字状掛合部片１４への係脱部１５を開閉するように本体１３に回動可能に枢着された回動開閉体１６と、この回動開閉体１６の先端側を本体１３から離れる方向、即ち図に関して上方向に付勢する螺旋状のばね１７と、前記回動開閉体１６の先端部１６ａを図２に示すような係脱部閉鎖位置に保持して当該係脱部閉鎖位置より上方向には回動しないように制限する回動制限手段とによって構成される。そして、被連結部材１２は、連結部材１１の前記Ｃ字状掛合部片１４に掛合される被掛合部片１９を備えている。
【００１１】
連結部材１１の本体１３及び回動開閉体１６は、図７に示すように、それぞれ断面略コ字状に形成されていて、互いにコ字状開口部を内側に向けて嵌合配置され、当該連結部材１１の後端部においてピン２０により枢着されている。なお、本体１３は底部が若干盛り上がった上向きコ字状、正確には倒略Ｍ字状に形成されてもよい。そして前記ばね１７がこのピン２０に図２のように巻き付けられて本体１３と回動開閉体１６との間に介装され、それにより回動開閉体１６の先端側が本体１３に対し上向き付勢される。上記のように本体１３及び回動開閉体１６が断面コ字状に形成されて互いに内向きに嵌合配置されることにより、回動開閉体１６は本体１３に対しガタつくようなことなくきわめて安定状態で回動することができる。
【００１２】
前記回動制限手段は、回動開閉体１６の枢着部側端部に設けられていて、この回動開閉体１６の先端部１６ａが図２のような係脱部閉鎖位置にあるとき本体１３の上面１３ａ（平面部）に当接して回動開閉体１６が上記係脱部閉鎖位置よりも上方向へ回動するのを阻止するストッパー面部１８からなるもので、この回動制限手段は構造的にきわめて簡単である。このストッパー面部１８からなる回動制限手段により、回動開閉体１６は、常時は図２に示すように、先端部１６ａがＣ字状掛合部片１４の先端に近接した係脱部閉鎖位置に保持され、この状態で回動開閉体１６の先端部１６ａ側を下方へ押すと、図３のように下向きに回動して係脱部１５が開放されることになる。
【００１３】
図１〜図３に示すように、連結部材１１の回動開閉体１６にはその先端側外面に凹曲面部２１が形成され、またこの凹曲面部２１の後端には開閉体開放操作用突起部２２が一体に突設されている。また、連結部材１１の先端側には、本体１３のＣ字状掛合部片１４に掛合される被連結部材１２の移動を制限するための制限用空間部２３が設けられる。即ち、この制限用空間部２３は、前記Ｃ字状掛合部片１４の内周部１４ａと、回動開閉体１６の先端に下向きに一体に突設された突出壁部２４と、断面コ字状に形成された本体１３の両側壁１３ｂ，１３ｂの先端傾斜面部２５，２５とによって形成される。更に、連結部材１１の本体１３にはその後端に、ネックレスＮの一端部のリングｎ１を取り付けるための取付部２６が一体に形成されている。
【００１４】
一方、被連結部材１２は、例えば小判形の簡単な構造からなり、一端部にはネックレスＮの他端部のリングｎ２を取り付けるための取付孔２７が設けられ、他端部に矩形状の開口部２８が開設されて、その外周枠部が被掛合部片１９を形成している。
【００１５】
上述したような構成よりなる装身具用ジョイントＪ１の使用において、図２は、被連結部材１２の被掛合部片１９が連結部材１１のＣ字状掛合部片１４に掛合された使用時の状態を示したものであり、回動開閉体１６の先端部１６ａがＣ字状掛合部片１４の先端部に近接して係脱部１５を閉鎖している。しかして、図２に示すような状態から、被連結部材１２の被掛合部片１９を連結部材１１のＣ字状掛合部片１４から抜き取って、連結部材１１と被連結部材１２との連結を解除するには、図３に示すように、開閉体開放操作用突起部２２を下方へ押して、回動開閉体１６の先端側をばね１７の付勢力に抗し下向きに回動させると、回動開閉体１６の先端部１６ａがＣ字状掛合部片１４の先端部から下方へ離間して、係脱部１５が開放され、従ってこの開放状態において被連結部材１２の被掛合部片１９をＣ字状掛合部片１４から抜き取ればよい。この場合、開閉体開放操作用突起部２２を押し下げる代わりに、回動開閉体１６の先端部１６ａを押し下げてもよいわけであるが、上記突起部２２を押し下げる方が操作が容易である。
【００１６】
また、上記のようにして抜き取った被掛合部片１９を再び連結部材１１のＣ字状掛合部片１４に掛合して、連結部材１１と被連結部材１２とを連結するには、連結解除時のように開閉体開放操作用突起部２２を下方へ押してもよいが、図３の仮想線図示のように、被連結部材１２の突端部（被掛合部片１９）を、回動開閉体１６の凹曲面部２１に当てて押さえつけた状態で先端側へ滑らせるようにすれば、回動開閉体１６の先端側が下向きに回動して係脱部１５が開放されると共に、被連結部材１２の被掛合部片１９がＣ字状掛合部片１４にそのまま自動的に掛合されることになり、掛合操作が簡単容易となる。
【００１７】
図４は本発明に係る他の装身具用ジョイントＪ２を示し、図５及び図６はその縦断面図、図８は横断面図を示している。この装身具用ジョイントＪ２が、図１〜図３に示した装身具用ジョイントＪ１と異なるところは、回動開閉体１６の外面２９をその後端部から先端部１６ａにかけて緩やかな凸面状に形成した点であって、他の点についてはほとんど同一であるから、同一構成部分については同一符号を付して説明を省略する。
【００１８】
即ち、この装身具用ジョイントＪ２では、図４〜図６から明らかなように、回動開閉体１６の外面２９がその後端部から先端部１６ａにかけて緩やかな凸面状に形成されているため、回動開閉体１６を押して係脱部１５の開閉操作を行う際に、この回動開閉体１６を押え易いと云う利点があり、また図示のように回動開閉体１６の外面に凹凸部がなく、その外面全体が緩やかな山形を成しているから、外観上の体裁、見栄えが良くなる。
【００１９】
以上説明した装身具用ジョイントＪ１，Ｊ２では、連結部材１１が、本体１３と、この本体１３の一端部に一体連設したＣ字状掛合部片１４と、係脱部１５を開閉するように本体１３に枢着した回動開閉体１６と、この回動開閉体１６の先端部１６ａを本体から離れる方向に付勢するばね１７と、回動開閉体１６の先端部１６ａを係脱部閉鎖位置に保持して当該位置よりも本体から離れる方向に回動しないように制限する回動制限手段とからなるもので、ばね１７を、本体１３、掛合部片１４、回動開閉体１６及び回動制限手段とは別個独立した構成部材としているから、連結部材１１を構成するばね１７以外のほとんどの構成部材を純度の高い貴金属で形成することができ、従って高級な装身具用ジョイントを製造することができるものである。また、ばね１７は螺旋ばね等が使用されるが、非常に小さく、しかも本体１３と回動開閉体１６との間に介装されるものであって、外からほとんど見えないため、外観を損なうこともない。
【００２０】
また、連結部材１１の先端側には本体１３のＣ字状掛合部片１４に掛合される被連結部材１２の移動を制限するための制限用空間部２３が設けられ、この制限用空間部２３は、前記Ｃ字状掛合部片１４の内周部１４ａと、回動開閉体１６の先端から本体側に向かって突出する突出壁部２４と、断面コ字状に形成された本体１３の先端部２５とからなるものであるから、図２及び図５に示すように、係脱部１５が閉鎖された状態においてＣ字状掛合部片１４に係合されている被掛合部片１９は、連結部材１１の先端側の制限用空間部２３内に保持されることになる。従って、ネックレスＮを、被連結部材２を連結部材１に連結した状態で収納、保管しておくような場合に、このネックレスＮの両端部が重なり合うようなことがなく、そのためネックレスＮがもつれてしまいようなことがない。
【００２１】
【発明の効果】
請求項１に係る発明によれば、被連結部材を連結する連結部材を、本体と、本体の一端部に一体連設したＣ字状掛合部片と、本体に枢着した回動開閉体と、回動開閉体の先端側を本体から離れる方向に付勢するばねと、回動開閉体の先端部を係脱部閉鎖位置に保持して当該位置よりも本体から離れる方向に回動しないように制限する回動制限手段とから構成したもので、上記ばねを、本体、掛合部片、回動開閉体及び回動制限手段とは別個の構成部材としているから、このばね以外のほとんどの構成部材を純金等の軟らかい貴金属で形成することが可能となり、従って高級な装身具用ジョイントを製造することができる。この場合、ばねには螺旋ばね等を使用できるが、このばねは、本体と回動開閉体との間に介装されるものであって、外からほとんど見えないから、外観を損なうこともない。また、連結部材の回動開閉体が、常時、回動制限手段によって、係脱部閉鎖位置よりも本体から離れる方向に回動しないように保持されるから、連結部材のＣ字状掛合部片への被掛合部片の掛合操作が容易であると共に、一旦Ｃ字状掛合部片に掛合した被掛合部片が抜け出るおそれがない。
【００２２】
また本発明によれば、回動制限手段の構造がきわめて簡単となり、連結部材の製作が容易となる利点がある。
【００２３】
更にまた本発明によれば、係脱部が閉鎖された状態でＣ字状掛合部片に係合されている被掛合部片は、連結部材の先端側の制限用空間部内に保持されるから、被連結部材を連結部材に連結した状態で装身具を収納、保管しておくような場合に、この装身具の両端部が重なり合って絡みつくようなことがなく、そのため装身具がもつれてしまいおそれがない。
【００２４】
請求項２に係る発明によれば、連結部材の本体及び回動開閉体がそれぞれ断面略コ字状に形成されて互いに内向きに嵌合配置されているため、回動開閉体が本体に対しガタつくようなことがなく、きわめて安定な状態で確実に回動開閉を行わせることができる。
【００２５】
請求項３に係る発明によれば、回動開閉体の先端側外面に凹曲面部を形成すると共に、この凹状部の後端に開閉体開放操作用突起部を設けているから、係脱部を開放する際に上記突起部を押すことによって、回動開閉体の開放操作を容易に行うことができる。また、被連結部材の被掛合部片を回動開閉体の上記凹曲面部に当てて押さえつけた状態で先端側へ滑らせるようにすることにより、回動開閉体の先端側が下向きに回動して係脱部を開放できると共に、被掛合部片をＣ字状掛合部片にそのまま自動的に掛合させることができ、掛合操作を簡単容易に行うことができる。
【００２６】
請求項４に係る発明によれば、回動開閉体の外面がその後端部から先端部にかけて緩やかな凸面状に形成されているため、回動開閉体を押して係脱部の開閉操作を行う際に、この回動開閉体を押え易いと云う利点があり、回動開閉体の外面に凹凸部がなく、その外面全体が緩やかな山形を成しているから、外観上の体裁、見栄えが良くなる。
【図面の簡単な説明】
【図１】  本発明の装身具用ジョイントの一例を示す斜視図である。
【図２】  図１に示す装身具用ジョイントの縦断面図で、回動開閉体が閉鎖位置にある状態を示す。
【図３】  図１に示す装身具用ジョイントの縦断面図で、回動開閉体が開放位置にある状態を示す。
【図４】  本発明の装身具用ジョイントの他の例を示す斜視図である。
【図５】  図４に示す装身具用ジョイントの縦断面図で、回動開閉体が閉鎖位置にある状態を示す。
【図６】  図４に示す装身具用ジョイントの縦断面図で、回動開閉体が開放位置にある状態を示す。
【図７】  図２のＸ−Ｘ線断面図である。
【図８】  図５のＹ−Ｙ線断面図である。
【図９】  従来の装身具用ジョイントを示す正面図である。
【符号の説明】
Ｊ１        装身具用ジョイント
Ｊ２        装身具用ジョイント
Ｊ３        装身具用ジョイント
１１        連結部材
１２        被連結部材
１３        本体
１４        Ｃ字状掛合部片
１５        係脱部
１６        回動開閉体
１７        ばね
１８        回動開閉体のストッパー面部
１９        被掛合部片
２１        凹曲面部
２２        開閉体開放操作用突起部
２３        制限用空間部
２４        突出壁部
２９        回動開閉体の凸面状外面
【図１】
0003829158.tif 000002
【図２】
0003829158.tif 000003
【図３】
0003829158.tif 000004
【図４】
0003829158.tif 000005
【図５】
0003829158.tif 000006
【図６】
0003829158.tif 000007
【図７】
0003829158.tif 000008
【図８】
0003829158.tif 000009
【図９】
0003829158.tif 000010